(57)【要約】【課題】処理装置がフィーダから横側に大きく突出することを回避しながらフィーダ後部に処理装置を連結した収穫機を得る。【解決手段】一対の掻込み回転体１３２，１３２の回転支軸１３３の一端部どうしにわたって装着したギヤ連動機構１４０を備え、フィーダ６から送出される稈身をフィーダ６の収穫物放出口より後方で一対の掻込み回転体１３２，１３２掻き込み導入して処理する処理装置１３０を、フィーダ６の後部に連結してある。ギヤ連動機構１４０がフィーダ６におけるフィーダケース７０のコンベヤ収容部７０ｇでの横端７０Ｔ１に対して処理装置１３０の内側に引退して位置するように、処理装置１３０の処理ケース１３１の横幅Ｗ１をフィーダケース７０のコンベヤ収容部７０ｇでの横幅Ｗ２より小に設定してある。【選択図】図３１
2013126387.tif 000002
【特許請求の範囲】
【請求項１】
走行機体の前方で収穫物を収穫する収穫前処理装置、及び前記収穫前処理装置によって収穫された収穫物を受継いで走行機体側に搬送するように前記収穫前処理装置の後部に連結された走行機体前後向きのフィーダを備えた収穫機であって、
前記フィーダの横幅方向に沿う回転軸芯まわりに駆動回転自在な一対の掻込み回転体、及び前記一対の掻込み回転体が連動するよう前記一対の掻込み回転体の回転支軸の一端部どうしにわたって装着したギヤ連動機構を備え、前記フィーダから送出される稈身を前記フィーダの収穫物放出口より後方で前記一対の掻込み回転体によって掻き込み導入して処理する処理装置を、前記フィーダの後部に連結し、
前記ギヤ連動機構が前記フィーダにおけるフィーダケースのコンベヤ収容部での横端に対して前記処理装置の内側に引退して位置するように、前記処理装置の処理ケースの横幅を前記フィーダケースの前記コンベヤ収容部での横幅より小に設定してある収穫機。
【請求項２】
前記一対の掻込み回転体が掻き込み導入した稈身を細断して放出するよう一対の掻込み回転体の後方に設けた細断処理部を備えて、前記処理装置を構成してある請求項１記載の収穫機。
【請求項３】
走行機体の横側部に補助作業者搭乗デッキを設け、
前記ギヤ連動機構を前記一対の掻込み回転体の回転支軸の前記補助作業者搭乗デッキが位置する側と反対側の端部に装着し、
前記処理ケースの前記補助作業者搭乗デッキが位置する側での横端が前記フィーダケースのコンベヤ収容部での前記補助作業者搭乗デッキが位置する側の横端に対して前記処理装置の内側に引退して位置するように、前記処理装置の処理ケースの横幅を前記フィーダケースの前記コンベヤ収容部での横幅より小に設定してある請求項１又は２記載の収穫機。
【請求項４】
前記フィーダ及び前記処理装置に対する伝動機構を、前記フィーダケース及び前記処理ケースに対して前記補助作業者搭乗デッキが位置する側とは反対側に位置するよう配備してある請求項３記載の収穫機。
【発明の詳細な説明】
【技術分野】
【０００１】
本発明は、走行機体の前方で収穫物を収穫する収穫前処理装置、及び前記収穫前処理装置によって収穫された収穫物を受継いで走行機体側に搬送するように前記収穫前処理装置の後部に連結された走行機体前後向きのフィーダを備えた収穫機に関する。
【背景技術】
【０００２】
従来、特許文献１に記載されたスイートコーン収穫機があった。このスイートコーン収穫では、基台フレームの前方に位置する左右一対の誘導ベルトによってスートコーン植物体を引き込み、誘導ベルトからのスイートコーン植物体の茎を左右一対の挟持搬送ベルトによって挟持して下部カッターによって茎上部と茎下部とに切断し、茎上部を左右一対の挟持搬送ベルトによって基台フレームの上方に搬送するよう構成されている。
【先行技術文献】
【特許文献】
【０００３】
【特許文献１】特開２０１１−９２１３５号公報
【発明の概要】
【発明が解決しようとする課題】
【０００４】
上記した収穫機において、フィーダの後部に処理装置を連結し、フィーダから放出される収穫物に混入している非収穫対象物を取り出すなどの処理を行うよう構成するのに、処理装置が大型や重量物になった場合、処理装置がフィーダから横側に大きく突出し、フィーダの後端部付近のスペースが狭くなって他の装置の設置に支障が出るなどの問題が発生しがちになる。また、処理装置の支持を安定的に行なう強度をフィーダに備えさせねばならず、フィーダが大型や重量物になりがちであった。
【０００５】
本発明の目的は、上記した問題の発生を回避しながらフィーダ後部に処理装置を連結した収穫機を提供することにある。
【課題を解決するための手段】
【０００６】
本第１発明は、走行機体の前方で収穫物を収穫する収穫前処理装置、及び前記収穫前処理装置によって収穫された収穫物を受継いで走行機体側に搬送するように前記収穫前処理装置の後部に連結された走行機体前後向きのフィーダを備えた収穫機において、
前記フィーダの横幅方向に沿う回転軸芯まわりに駆動回転自在な一対の掻込み回転体、及び前記一対の掻込み回転体が連動するよう前記一対の掻込み回転体の回転支軸の一端部どうしにわたって装着したギヤ連動機構を備え、前記フィーダから送出される稈身を前記フィーダの収穫物放出口より後方で前記一対の掻込み回転体によって掻き込み導入して処理する処理装置を、前記フィーダの後部に連結し、
前記ギヤ連動機構が前記フィーダにおけるフィーダケースのコンベヤ収容部での横端に対して前記処理装置の内側に引退して位置するように、前記処理装置の処理ケースの横幅を前記フィーダケースの前記コンベヤ収容部での横幅より小に設定してある。
【０００７】
本第１発明の構成によると、処理装置は処理ケースの横幅がフィーダケースのコンベヤ収容部での横幅より小である小型かつ軽量なものになり、処理装置がフィーダから横側に突出しないとかあまり突出しない状態で処理装置をフィーダの後部に連結したものにでき、かつフィーダを小型及び軽量化しても、フィーダによる処理装置の支持を安定的に行なわせることができる。
【０００８】
従って、第１発明によると、フィーダから放出される収穫物に混入している稈身を処理装置によって取り出すなどの処理を行えるのみならず、フィーダの後端部付近のスペースを装置の設置や作業に利用しやすいものにでき、かつ処理装置及びフィーダの面から安価に得ることができる。
【０００９】
本第２発明は、前記一対の掻込み回転体が掻き込み導入した稈身を細断して放出するよう一対の掻込み回転体の後方に設けた細断処理部を備えて、前記処理装置を構成してある。
【００１０】
本第２発明の構成によると、フィーダから放出される収穫物に稈身が混入していても、細断処理部によって細断状態にして放出される。
【００１１】
従って、第２発明によると、収穫物に稈身が混入しても細断処理され、回収するなどの後処理を行い易い。
【００１２】
本第３発明は、走行機体の横側部に補助作業者搭乗デッキを設け、
前記ギヤ連動機構を前記一対の掻込み回転体の回転支軸の前記補助作業者搭乗デッキが位置する側と反対側の端部に装着し、
前記処理ケースの前記補助作業者搭乗デッキが位置する側での横端が前記フィーダケースのコンベヤ収容部での前記補助作業者搭乗デッキが位置する側の横端に対して前記処理装置の内側に引退して位置するように、前記処理装置の処理ケースの横幅を前記フィーダケースの前記コンベヤ収容部での横幅より小に設定してある。
【００１３】
本第３発明の構成によると、処理ケースの横端がフィーダケースのコンベヤ収納部に対して処理装置の内側に引退していることにより、フィーダの後方に位置する部位であって、処理装置の横側に位置する部位に空きスペースを形成し、この空きスペースを補助作業者搭乗デッキに搭乗して作業する際の作業スペースとして利用できるものとなる。
【００１４】
従って、第３発明によると、フィーダの後部に処理装置を連結するものでありながら、補助作業者搭乗デッキに搭乗しての作業を作業スペースの面から行い易いものになる。
【００１５】
本第４発明は、前記フィーダ及び前記処理装置に対する伝動機構を、前記フィーダケース及び前記処理ケースに対して前記補助作業者搭乗デッキが位置する側とは反対側に位置するよう配備してある。
【００１６】
本第４発明の構成によると、フィーダ及び処理装置に対する伝動機構が、フィーダケース及び処理ケースに対して補助作業者搭乗デッキが位置する側とは反対側に位置し、補助作業者搭乗デッキに搭乗して行なう作業の障害にならない。
【００１７】
従って、第４発明によると、フィーダの搬送終端側に伝動し、かつフィーダの後端部に処理装置を連結したものでありながら、補助作業者搭乗デッキに搭乗しての作業を行なう際、伝動機構が障害にならなく作業し易い。
【図面の簡単な説明】
【００１８】
【図１】とうもろこし収穫機の全体を示す左側面図である。
【図２】とうもろこし収穫機の全体を示す右側面図である。
【図３】とうもろこし収穫機の全体を示す平面図である。
【図４】とうもろこし収穫機の全体を示す正面図である。
【図５】機体フレームを示す平面図である。
【図６】機体フレームの前部を示す側面図である。
【図７】機体フレームの前部を示す正面図である。
【図８】機体フレームの前車輪支持部を示す平面図である。
【図９】運転キャビンの下部における横断面図である。
【図１０】収穫前処理装置の前部を示す平面図。
【図１１】収穫前処理装置の収穫ロール配設部を示す平面図である。
【図１２】収穫前処理装置の後部を示す平面図である。
【図１３】収穫前処理装置の後部を示す縦断正面図である。
【図１４】収穫前処理装置の後部を示す縦断側面図である。
【図１５】収穫装置を示す側面図である。
【図１６】収穫装置を示す縦断正面である。
【図１７】収穫装置の始端部を示す平面図である。
【図１８】張力付与装置を示す縦断側面図である。
【図１９】図１７のＸＩＸ―ＸＩＸ断面矢視図である。
【図２０】前処理フレームを示す斜視図である。
【図２１】前処理フレームを示す平面図である。
【図２２】油圧シリンダ及び接地スタンドの支持構造を示す側面図である。
【図２３】油圧シリンダ及び接地スタンドの支持構造を示す平面図である。
【図２４】収穫前処理装置の接地支持状態を示す側面図である。
【図２５】閉じ状態での搬送装置カバーを示す側面図である。
【図２６】開き状態での搬送装置カバーを示す側面図である。
【図２７】（ａ）は、搬送装置カバーの閉じ状態での後連結手段を示す側面図、（ｂ）は、搬送装置カバーの開き状態での後連結手段を示す側面図である。
【図２８】後連結手段を示す正面図である。
【図２９】前連結手段を示す正面図である。
【図３０】搬送装置カバーの閉じ状態での前連結手段を示す側面図である。
【図３１】フィーダを示す横断平面図である。
【図３２】フィーダの後部、排塵ファン装置及び処理装置を示す側面図である。
【図３３】フィーダの後部及び排塵ファン装置を示す縦断側面図である。
【図３４】処理装置を示す縦断側面図である。
【図３５】残稈処理装置を示す側面図である。
【図３６】伝動系統図である。
【図３７】伝動ギヤケースの断面図である。
【図３８】トルクリミッタを示す平面図である。
【発明を実施するための形態】
【００１９】
以下、本発明の実施の形態を図面に基づいて説明する。
図１は、本発明の実施例に係るとうもろこし収穫機の全体を示す左側面図である。図２は、本発明の実施例に係るとうもろこし収穫機の全体を示す右側面図である。図３は、本発明の実施例に係るとうもろこし収穫機の全体を示す平面図である。図４は、本発明の実施例に係るとうもろこし収穫機の全体を示す正面図である。
【００２０】
これらの図に示すように、本発明の実施例に係るとうもろこし収穫機は、左右一対の前車輪１，１、左右一対の後車輪２，２、機体前部に位置する運転キャビン３、運転キャビン３の後方に位置する原動部Ａを有し、前車輪１を原動部Ａに設けたエンジン４によって駆動して自走するように構成し、かつ後車輪２をパワーステアリング装置によって操向操作するように構成した走行機体と、この走行機体の機体フレーム５の前部に連結した収穫前処理装置Ｂと、収穫前処理装置Ｂの後部から走行機体の上方にわたって設けたフィーダ６と、機体フレーム５の後部に配備した回収タンク７と、走行機体の前後輪間に配備した残稈処理装置Ｃとを備えて構成してある。
【００２１】
収穫前処理装置Ｂは、左右一対の油圧シリンダ８によって昇降軸芯Ｐまわりに上下に揺動操作され、収穫前処理装置Ｂの前端部に位置する接地ソリ９が地面の上方近くに位置した下降作業姿勢と接地ソリ９が地面から高く上昇した上昇非作業姿勢とに昇降操作されるように構成してある。とうもろこし収穫機は、収穫前処理装置Ｂを下降作業姿勢にした状態で走行機体を走行させることにより、とうもろこしの収穫作業を行なう。具体的には、圃場に植立するとうもろこし植物体のうちの茎稈を圃場に植立状態で残しながら、とうもろこし植物体のうち、種子が棒状に連なって房になっている部位であるとうもろこしを収穫し、圃場に残った茎稈を残稈処理装置Ｃによって破砕処理する。
【００２２】
走行機体について説明する。
図５は、機体フレーム５を示す平面図である。図６は、機体フレーム５の前部を示す側面図である。図７は、機体フレーム５の前部を示す正面図である。これらの図及び図１，２に示すように、機体フレーム５は、左右一対の機体前後向きのメインフレーム１１，１１と、左右一対のメインフレーム１１，１１の前部に設けた左右一対の前側の支柱フレーム材１２ａ，１２ａを有した運転部フレーム１２と、左右一対のメインフレーム１１，１１の前後輪間に設けた前後一対のエンジン支持フレーム１３ａ,１３ａを有した原動部フレーム１３とを備えて構成してある。
【００２３】
左右一対のメインフレーム１１，１１は、走行機体の前部に位置する前フレーム部１１ａと、走行機体の後部に前フレーム部１１ａより高い配置高さで位置する後フレーム部１１ｂと、前フレーム部１１ａの後端部と後フレーム部１１ｂの前端部とを連結する機体上下向きの連結フレーム部１１ｃとを備えて構成してある。連結フレーム部１１ｃは、前後一対のフレーム材を備えて構成してある。
【００２４】
運転部フレーム１２は、左右一対のメインフレーム１１，１１における前フレーム部１１ａに各別に立設した左右一対の前側の支柱フレーム材１２ａ，１２ａ及び左右一対の後側の支柱フレーム材１２ｂ，１２ｂと、前後の支柱フレーム材１２ａ，１２ｂの上端部に連結された機体前後向きのキャビン支持フレーム１２ｃとを備えて構成してある。左右一対の前側の支柱フレーム材１２ａ，１２ａから支持杆１２ｄを機体前方上方向きに延出し、支持杆１２ｄの延出端をキャビン支持フレーム１２ｃの前端部に連結してある。
【００２５】
原動部フレーム１３は、左右一対のメインフレーム１１，１１における後フレーム部１１ｂに機体前後方向に並べて架設した前後一対の機体横向きのエンジン支持フレーム１３ａ，１３ａと、前記一対のエンジン支持フレーム１３ａ，１３ａの端部を連結する機体前後向きの連結杆１３ｂとを備えて構成してある。各エンジン支持フレーム１３ａにエンジンマウント部を設けてある。
【００２６】
図８は、機体フレーム５の前車輪支持部を示す平面図である。この図及び図５，６に示すように、左右一対の前車輪１，１は、左右一対のメインフレーム１１，１１における前フレーム部１１ａに連結された機体横向きの前輪支持フレーム１４に支持されている。前輪支持フレーム１４は、前輪駆動ケース１ａを介して前車輪１を支持している。前輪駆動ケース１ａは、内部に遊星減速機構を備え、走行ミッション１５から伝動筒１５ａを介して伝達される駆動力を遊星減速機構によって減速して前車輪１に伝達する。走行ミッション１５は、フィーダ６の下方に配備されている。走行ミッション１５は、左右一対の前フレーム部１１ａに連結フレーム１１ｄを介して連結された支持体１５ｂに支持されている。
【００２７】
図５に示すように、左右一対の後車輪２，２は、機体横向きの後輪支軸１９の端部に回転自在及び揺動操向自在に支持されている。後輪支軸１９は、左右一対のメインフレーム１１，１１における後フレーム部１１ｂから機体下方向きに延出する後輪支持フレーム１８の延出端部に機体前後向きのローリング軸芯Ｒまわりに上下揺動自在に支持されており、左右一対の後車輪２，２は、機体フレーム５に対する後輪支軸１９のローリング軸芯Ｒまわりでの自由ローリングにより、機体フレーム５に対して背反的に揺動昇降する。後車輪２を操向操作するパワーステアリングシリンダ２０は、後輪支持フレーム１８に対して後輪支軸１９と一体に揺動するように後輪支軸１９に支持されている。
【００２８】
図１〜４に示すように、運転キャビン３は、フィーダ６の直上方に位置するよう配置されている。図１，２，４，６に示すように、運転キャビン３は、前車輪１の上方に位置する配置高さで運転部フレーム１２のキャビン支持フレーム１２ｃに支持されている。図９は、運転キャビン３の下部における横断面図である。この図に示すように、運転キャビン３の下部後端側に凹入部３ａを設けてある。凹入部３ａは、機体後方向き及び機体下方向きに開口する形状となるように後壁３ｂと床板部３ｃとにわたって設けてある。運転キャビン３は、凹入部３ａにフィーダ６が入り込む配置高さに配置してある。
【００２９】
図１，３，４に示すように、運転キャビン３の出入り口の横外側に、乗降デッキ２１及び乗降階段２２を設けてある。乗降階段２２は、走行機体の支持部に基部が機体上下向きの揺動軸芯まわりに回動自在に連結した段上ステップ部２２ａと、段上ステップ部２２ａから下方向きに延出する階段部２２ｂとを備えて構成してある。乗降階段２２は、揺動軸芯まわりに揺動操作することにより、階段部２２ｂが前車輪１の横外側に位置した使用位置と、階段部２２ｂが前車輪１の後側に位置した格納姿勢とに切り換えできるようになっている。
【００３０】
フィーダ６に対してエンジン４が位置する側とは反対側に位置する走行機体の横側部に補助作業者搭乗デッキ２３を設け、補助作業者がフィーダ６の搬送終端側部のエンジン４が位置する側とは反対側の横側方に搭乗してフィーダ６のとうもろこし搬出状況を監視するなどの補助作業を行なえるように構成してある。補助作業者搭乗デッキ２３は、前端が乗降デッキ２１の後端の近くに位置するよう配備してあり、補助作業者搭乗デッキ２３に対する乗り降りは、乗降デッキ２１及び乗降階段２２を利用して行うように構成してある。図１，３に示すように、補助作業者搭乗デッキ２３は、エンジン４用の燃料タンク２４の上方に配備してあり、燃料タンク２４の上方を覆うカバー機能を備えている。
【００３１】
燃料タンク２４は、前車輪１と後車輪２の間に２個、機体前後方向に並べて設けてある。図３に示すように、燃料タンク２４は、フィーダ６の機体横方向中心６ａに対してエンジン４が位置する機体横外側とは反対の機体横外側に偏倚させて配備してある。
【００３２】
原動部Ａについて説明する。
図２，３，４に示すように、原動部Ａには、エンジン４を備える他、エンジン４の機体横外側に設けたラジエータ２５、ラジエータ２５とエンジン４の間に設けた冷却ファン２６、及びラジエータ２５の機体横外側に設けた吸気ケース２７を備えてある。
【００３３】
エンジン４は、前車輪１と後車輪２の間に、機体側面視でフィーダ６の下方に位置する配置で設けてある。エンジン４が機体側面視でフィーダ６の下方に位置するよう構成するに当り、エンジン４の全体がフィーダ６の下方に位置するよう構成するのみならず、エンジン４の上端側の一部がフィーダ６に対して重合する状態で、エンジン４の下端側の大部分がフィーダ６の下方に位置するよう構成してもよい。フィーダ６を後方上方向きの傾斜姿勢で設けながら、エンジン４を設置するためのスペースがフィーダ６から機体前後側に突出することを回避や抑制するよう構成すればよい。
【００３４】
さらに詳述すると、エンジン４は、後端がフィーダ６のフィーダケース７０における後端６ｂ（図２，３３参照）より走行機体前方側に位置する配置で設けてある。エンジン４は、フィーダ６の機体横方向中心６ａに対して機体横外側に偏倚して位置する配置で、かつ横一端側がフィーダ６から燃料タンク２４が位置する側と反対の機体横外側に突出する配置で設けてある。フィーダ６から燃料タンク２４が位置する側と反対の機体横外側に突出しているエンジン４の横一端側は、左右一対のメインフレーム１１，１１のうちの燃料タンク２４が位置する側と反対側のメインフレーム１１から機体横外側に突出している。エンジン４は、クランクシャフト４ｂが機体横向きになる搭載姿勢で、前後一対のエンジン支持フレーム１３ａ，１３ａを介してメインフレーム１１の後フレーム部１１ｂに支持させてある。エンジン４の出力軸４ａは、エンジンボディから機体横内側向きに突出してフィーダ６の下方に位置している。
【００３５】
ラジエータ２５は、冷却ファン２６がエンジン４によって回転駆動されて吸気ケース２７に設けた除塵部の通気孔を通して吸引する冷却風によってエンジン冷却水を冷却することで、エンジン４を冷却する。吸気ケース２７の内部の徐塵部とラジエータ２５との間にオイルクーラ２８を配備してある。オイルクーラ２８は、油圧シリンダ８などの油圧アクチュエータを駆動する作動油の冷却を行なう。
【００３６】
原動部Ａには、エンジン４の吸気マニホールドから機体上方向きに延出したエンジン側の吸気管の延出端部に排気口が接続されたエアクリーナ３０、及びエアクリーナ３０の吸気口から機体上方向きに延出したクリーナ側の吸気管３１の延出端部に排気口が接続されたプレエアクリーナ３２を備えてある。
【００３７】
収穫前処理装置Ｂについて説明する。
図２，３，４に示すように、収穫前処理装置Ｂは、機体フレーム５の前部から昇降軸芯Ｐまわりに上下揺動自在に延出する前処理フレーム３５と、前処理フレーム３５の前部に設けた収穫部３６と、前処理フレーム３５の後部に設けた送出部３７とを備えて構成してある。
【００３８】
図５，１２，１４に示すように、前処理フレーム３５は、運転部フレーム１２における前側の支柱フレーム材１２ａに備えた左右一対の支持部４０，４０（図６，７参照）に後端部が回転自在に連結される左右一対の連結フレーム３７ａ,３７ａと、左右一対の連結フレーム３７ａ，３７ａの前端部に後端部が連結された収穫部フレーム４２とを備えて構成してある。
【００３９】
支点軸４１の軸芯が昇降軸芯Ｐになっている。左右一対の連結フレーム３７ａ,３７ａは、収穫部３６によって収穫されたとうもろこしをフィーダ６に送り出す送出部３７を構成する送出部フレーム３７ａになっている。収穫部フレーム４２の横幅は左右一対の連結フレーム３７ａ，３７ａの横外側面どうしでの間隔の長さより大に設定され、収穫部フレーム４２と連結フレーム３７ａとは、収穫部フレーム４２の左側及び右側の横側部４２ａが連結フレーム３７ａから横外側に突出する状態で連結している。
【００４０】
収穫部フレーム４２は、左右一対の連結フレーム３７ａ，３７ａの前端部に後面側が連結している後縦壁板４６ａを有した横送りフレーム部４６と、横送りフレーム部４６を構成する左右一対の横縦壁板４６ｂ，４６ｂの前端部に架設され機体横向きの支持フレーム４７とを備えて構成してある。
【００４１】
横送りフレーム部４６は、後縦壁板４６ａの両端部に各別に連結している左右一対の横縦壁板４６ｂ，４６ｂを備え、左右一対の横縦壁板４６ｂ、４６ｂによって横送りオーガ４４を回転自在に支持している。横送りフレーム部４６は、横送りオーガ４４の下方に位置する横送りデッキ４６ｃを支持している。横送りフレーム部４６の後縦壁板４６ａに供給口４６ｄを設けてある。
【００４２】
送出部３７は、左右一対の送出部フレーム３７ａ,３７ａとしての連結フレーム３７ａ，３７ａを備えて構成してある。図１４に示すように、左右一対の連結フレーム３７ａ,３７ａは、左右一対の連結フレーム３７ａ，３７ａの間に供給口４６ｄが位置するように、かつ収穫前処理装置Ｂの下降作業姿勢の状態において、左右一対の連結フレーム３７ａ，３７ａの間にフィーダ６の投入口７１が入り込むように配備してある。これにより、送出部３７は、収穫部３６の供給口４６ｄから供給されたとうもろこしをフィーダ６の投入口７１に送出する。
【００４３】
図１０，１１，１３に示すように、収穫部３６は、収穫部フレーム４２の前部に機体横方向に並べて設けた３つの収穫装置４３と、収穫部フレーム４２の後部に機体横向きに設けた横送りオーガ４４とを備えて構成してある。
【００４４】
３つの収穫装置４３それぞれは、収穫部フレーム４２の前部に機体横方向に並べて設けた６つの収穫物係止搬送装置４５のうちの機体横方向に隣り合って位置する一対の収穫物係止搬送装置４５，４５、及び各収穫物係止搬送装置４５の下方に設けた収穫ロール６３を備えて構成してある。
【００４５】
６つの収穫物係止搬送装置４５の搬送終端側は、支持フレーム４７に支持されている。６つの収穫物係止搬送装置４５のうちの両横端の収穫物係止搬送装置４５の横外側は、横送りフレーム部４６の横縦壁板４６ｂから機体前方向きに延出したアームフレーム４８に前後一対の連結杆４９，４９を介して支持されている。
【００４６】
図１０，１１，１３に示すように、６つの収穫物係止搬送装置４５のうちの両横端の収穫物係止搬送装置４５Ａは、支持フレーム４７に後端部が支持された機体前後向きの搬送装置フレーム５１と、この搬送装置フレーム５１の前端部に機体上下向き軸芯まわりに回転自在に支持された始端側回転輪体５２と、搬送装置フレーム５１の後端部に機体上下向き軸芯まわりに回転自在に支持された終端側回転輪体５３と、終端側回転輪体５３と始端側回転輪体５２の間で搬送装置フレーム５１に機体上下向き軸芯まわりに回転自在に支持されたガイド輪体５４と、各輪体５２，５３，５４に巻回された無端回動体５５とを備えて構成してある。
【００４７】
６つの収穫物係止搬送装置４５のうちの両横端の収穫物係止搬送装置４５Ａを除く４つの内側の収穫物係止搬送装置４５Ｂは、支持フレーム４７に後端部が支持された機体前後向きの搬送装置フレーム５１と、この搬送装置フレーム５１の前端部に設けた張力付与装置８８が備える機体上下向き軸芯まわりに回転自在な始端側回転輪体５２と、搬送装置フレーム５１の後端部に機体上下向き軸芯まわりに回転自在に支持された終端側回転輪体５３と、終端側回転輪体５３と始端側回転輪体５２の間で搬送装置フレーム５１に機体上下向き軸芯まわりに回転自在に支持されたガイド輪体５４と、各輪体５２，５３，５４に巻回された無端回動体５５とを備えて構成してある。
【００４８】
各収穫物係止搬送装置４５Ａ，４５Ｂの搬送装置フレーム５１は、支持フレーム４７に連結部５１ａで脱着自在に連結されたフレーム本体５１ｂと、連結部５１ａに脱着自在に連結された駆動ケース５７とを備えて構成してある。
【００４９】
各収穫物係止搬送装置４５Ａ，４５Ｂでは、終端側回転輪体５３を駆動ケース５７によって回転自在に支持するように、かつ駆動ケース５７に収容された駆動機構であって、ベベルギヤを利用して構成してある駆動機構５０によって終端側回転輪体５３を回転駆動するよう構成してある。両端の収穫物係止搬送装置４５Ａでは、始端側回転輪体５２及びガイド輪体５４をフレーム本体５１ｂによって回転自在に支持するよう構成してある。内側の収穫物係止搬送装置４５Ｂでは、ガイド輪体５４をフレーム本体５１ｂによって回転自在に支持するよう構成してある。
【００５０】
一つの収穫装置４３を構成する一対の収穫物係止搬送装置４５Ａ,４５Ｂ及び一対の収穫物係止搬送装置４５Ｂ，４５Ｂにおける駆動ケース５７は、一対の収穫物係止搬送装置４５Ａ,４５Ｂ及び一対の収穫物係止搬送装置４５Ｂ，４５Ｂに共用の駆動ケース５７になっており、二つの終端側回転輪体５３，５３を駆動自在に支持している。
【００５１】
各収穫物係止搬送装置４５における無端回動体５５の長手方向での複数箇所に収穫物係止搬送突部５６を設けてある。各収穫物係止搬送装置４５における無端回動体５５は、無端回動チェーンによって構成し、収穫物係止搬送突部５６は、無端回動チェーンのリンク部材に一体形成した板金部材によって構成してある。各収穫物係止搬送装置４５における始端側回転輪体５２、終端側回転輪体５３及びガイド輪体５４は、チェーンスプロケットによって構成してある。
【００５２】
各収穫物係止搬送装置４５の無端回動体５５は、駆動ケース５７によって回転駆動される終端側回転輪体５３によって回転駆動され、搬送経路５８を機体後方向きに移動し、戻り経路５９を機体前方向きに移動するように回動し、収穫物係止搬送突部５６によってとうもろこしを機体後方向きに係止搬送する。各収穫物係止搬送装置４５は、収穫前処理装置Ｂの下降作業姿勢の状態において、搬送終端側ほど対地高さが高くなる後上がり傾斜の姿勢になる。
【００５３】
図１１，１５に示すように、各収穫物係止搬送装置４５の下方に位置する収穫ロール６３は、駆動ケース５７から機体前方向きに延出している。収穫ロール６３は、収穫ロール６３の前部に位置する螺旋形状の掻込み羽根６４ａを有した掻き込みロール部６４と、掻き込みロール部６４より搬送方向下手側に位置する帯板状の収穫羽根６５ａを有した収穫ロール部６５とを備えて構成してある。つまり、一つの収穫装置４３を構成する一対の収穫ロール６３，６３は、駆動ケース５７に収容された駆動機構５０によって回転方向ａ（図１６参照）に回転駆動され、収穫装置４３の茎稈導入口４５ａに入り込んだとうもろこし植物体を掻き込みロール部６４の掻込み羽根６４ａによって搬送経路５８に掻き込み導入し、搬送経路５８に導入したとうもろこし植物体の茎稈を収穫ロール部６５の収穫羽根６５ａによって搬送装置フレーム５１のフレーム本体５１ｂに対して掻き下げ操作する。このとき、とうもろこしは、搬送装置フレーム５１のフレーム本体５１ｂにおける受け板部５１ｃ（図１６参照）によって下から受け止め支持されることにより、収穫ロール６３は、とうもろこしをとうもろこし植物体の茎稈からちぎり取って収穫する。
【００５４】
つまり、図１０〜１５に示すように、各収穫装置４３の搬送装置フレーム５１の後端部に、一つの連結部５１ａを一対の収穫物係止搬送装置４５，４５の搬送装置フレーム５１に連結する状態で設け、３つの収穫装置４３を、支持フレーム４７に連結部５１によって各別に取付けてある。
【００５５】
各収穫装置４３の搬送装置フレーム５１の後側に、一対の収穫物係止搬送装置４５，４５及び一対の収穫ロール６３，６３に共通の一つの駆動ケース５７を設け、各収穫装置４３の駆動ケース５７を、支持フレーム４７の後方に設けた左右一対のブラケット４７ａ，４７ａの上面部に載置して支持させてある。３つの収穫装置４３の駆動ケース５７を支持するよう機体横方向に並ぶ複数のブラケット４７ａは、連結部５１ａから後方向きに延出してあり、連結部５１ａを介して支持フレーム４７に支持される。このようにブラケット４７ａを連結部５１ａから延出する構成を採用するに替え、連結部５１ａの後向き面に切り欠き孔を設け、ブラケット４７ａが支持フレーム４７から連結部５１ａの切り欠き孔を通って後方向きに延出する構成を採用してもよい。
【００５６】
３つの収穫装置４３の駆動ケース５７は、隣り合う一対の駆動ケース５７，５７の間に配置し、かつ支持フレーム４７の後方に配置した連動軸５７ｂによって連動させてある。すなわち、各連動軸５７ｂは、隣り合う一対の駆動ケース５７，５７の入力軸５７ａにジョイントを介して一体回転自在に連結して、隣り合う一対の駆動ケース５７，５７の入力軸５７ａを一体回転するよう連動させている。
【００５７】
従って、収穫前処理装置Ｂは、収穫部３６によって機体横方向での３箇所でとうもろこし植物体からとうもろこしを収穫し、収穫したとうもろこしを送出部３７によってフィーダ６の投入口７１に送出する。
【００５８】
すなわち、収穫物係止搬送装置４５の上方を覆う搬送装置カバー６０，６１（図３，１３参照）の前端部６０ａ，６１ａの先細り形状による分草具機能によって各収穫装置４３の搬送経路５８に植立状態のとうもろこし植物体を導入する。各収穫装置４３の搬送経路５８において、搬送経路５８に導入されたとうもろこし植物体のとうもろこしを搬送装置フレーム５１のフレーム本体５１ｂの受け板部５１ｃによって受け止め支持させながら、とうもろこし植物体の茎稈を収穫ロール６３の収穫ロール部６５によって掻き下げて、とうもろこしを収穫する。３つの収穫装置４３において収穫したとうもろこしを、収穫物係止搬送装置４５の無端回動体５５によって後方に係止搬送して横送りフレーム部４６に送り込む。横送りフレーム部４６に送り込んだとうもろこしを、横送りオーガ４４によって横送りデッキ４６ｃに沿わせて送出部３７の前に横送りし、送出部３７の前に来たとうもろこしを、横送りオーガ４４に一体回転自在に設けてある板状の掻送り体６６（図１２参照）によって供給口４６ｄから送出部３７の左右一対の連結フレーム（送出部フレーム）３７ａ，３７ａの間に送り込み、送出部３７においてフィーダ６の投入口７１に供給する。
【００５９】
図１０，１７に示すように、６つの収穫物係止搬送装置４５のうち、無端回動体５５の戻り経路５９が対向し合う状態で機体横方向に隣り合う一対の収穫物係止搬送装置４５，４５の一方の収穫物係止搬送装置４５における無端回動体５５の戻り経路５９のうちの収穫物係止搬送突部５６が通る部位と、他方の収穫物係止搬送装置４５における無端回動体５５の戻り経路５９のうちの収穫物係止搬送突部５６が通る部位とが、一対の収穫物係止搬送装置４５，４５の始端側回転輪体５２どうしの間で交差するように、一対の収穫物係止搬送装置４５，４５の始端側回転輪体５２どうしの間を小間隔に設定してある。一方の収穫物係止搬送装置４５における戻り経路５９の収穫物係止搬送突部５６が通る部位と他方の収穫物係止搬送装置４５における戻り経路５９の収穫物係止搬送突部５６が通る部位とが交差しても、一方の収穫物係止搬送装置４５の収穫物係止搬送突部５６と他方の収穫物係止搬送装置４５の収穫物係止搬送突部５６とが始端側回転輪体５２どうしの間を交互に移動するのであり、収穫物係止搬送突部５６どうしの接触が発生せず、一対の収穫物係止搬送装置４５，４５の無端回動体５５の駆動を支障なく行なうことができる。
【００６０】
つまり、無端回動体５５の戻り経路５９が対向し合う一対の収穫物係止搬送装置４５，４５の始端側回転輪体５２どうしの間隔を狭くすることにより、収穫装置４３において一対の収穫物係止搬送装置４５，４５の無端回動体５５の搬送経路５８の始端部どうしによって収穫装置４３の前部に形成される茎稈導入口４３ａの間口を広くできる。
【００６１】
前処理フレーム３５についてさらに説明する。
図２０は、前処理フレーム３５を示す斜視図である。図２１は、前処理フレーム３５を示す平面図である。これらの図及び図１２，１４に示すように、前処理フレーム３５は、前処理フレーム３５の後部に左右に所定間隔を隔てて並んで位置する左右一対の縦板状の連結フレーム３７ａ,３７ａと、前処理フレーム３５の前部の両横側に分かれて位置する左右一対の横縦壁板４６ｂ，４６ｂと、左右一対の横縦壁板４６ｂ，４６ｂの後端側間に位置する後縦壁板４６ａと、後縦壁板４６ａの前側に上下に並んで位置する上下一対の機体横向きの横向きフレーム３８，３９と、左右一対の横縦壁板４６ｂ、４６ｂの前端側間に位置する機体横向きの支持フレーム４７と、上下一対の横向きフレーム３８，３９のうちの下側の横向きフレーム３８の機体横方向での２箇所から機体前方向きに延出して延出端が支持フレーム４７に連結する一対の連結部材３４，３４とを備えて構成してある。
【００６２】
左右一対の連結フレーム３７ａ，３７ａは、後端部に支点軸４１を有した連結部を備え、支点軸４１を介して前記支持部４０に昇降軸芯Ｐまわりに回動自在に連結するよう構成してある。支点軸４１は、左右一対の連結フレーム３７ａ,３７ａを連結する連結軸によって構成してある。各連結フレーム３７ａは、軽量化用の切り欠き孔３７ｂを設けた縦板形のフレーム本体と、フレーム本体を構成する板金の端部を内向きに折り曲げてフレーム本体の上下に設けた補強フランジ３７ｃとを備えて構成してある。
【００６３】
上下一対の横向きフレーム３８，３９は、鋼管によって構成してある。鋼管としては、縦断面形状が円形の鋼管を採用してある。鋼管としては、縦断面形状が矩形の鋼管を採用してもよい。上下一対の横向きフレーム３８，３９のうちの下側の横向きフレーム３８（以下、横向きフレーム３８と称する。）は、横送りデッキ４６ｃの下方に位置するよう配置してある。横向きフレーム３８は、両横端が左右一の連結フレーム３７ａ,３７ａから横外側に突出する状態で左右一対の連結フレーム３７ａ，３７ａの前端側下部と、左右一対の横縦壁板４６ｂ，４６ｂの下端側後部に連結されている。上下一対の横向きフレーム３８，３９のうちの上側の横向きフレーム３９（以下、上横向きフレーム３９と称する。）は、両横端が左右一の連結フレーム３７ａ,３７ａから横外側に突出する状態で左右一対の連結フレーム３７ａ，３７ａの前端側上部と、左右一対の横縦壁板４６ｂ，４６ｂの後端側上部に連結されている。
【００６４】
後縦壁板４６ａは、横送りオーガ４４の後側に位置するよう配置され、上横向きフレーム３９、連結フレーム３７ａ及び横縦壁板４６ｂに連結されている。後縦壁板４６ａは、供給口４６ｄの両横側に分かれて位置する一対の板金部材４６ｔ、４６ｔによって構成してある。
【００６５】
左右一対の横縦壁板４６ｂ，４６ｂは、横送りオーガ４４の両横外側に各別に位置するよう配置されている。左右一対の横縦壁板４６ｂ，４６ｂの後端側は、横向きフレーム３８、上横向きフレーム３９及び後縦壁板４６ａの横端部に連結され、左右一対の横縦壁板４６ｂ，４６ｂの前端側は、支持フレーム４７の端部に連結されている。左右一対の横縦壁板４６ｂ，４６ｂは、横向きフレーム３８、上横向きフレーム３９、後縦壁板４６ａ及び支持フレーム４７が連結する縦板形のフレーム本体と、フレーム本体を構成する板金の端部を内向きに折り曲げてフレーム本体の全周囲に設けた補強フランジとを備えて構成してある。一方の横縦壁板４６ｂの後端側に、後縦壁板４６ａから後方に突出する突出部を設け、この突出部に、後に説明する入力軸１６４（図１２参照）が挿通する貫通孔４６ｅを設けてある。一方の横縦壁板４６ｂの前端側に、後に説明する伝動軸１６７（図１２参照）が挿通する貫通孔４６ｆを設けてある。
【００６６】
支持フレーム４７は、縦断面形状が矩形であるように形成してある。図１２，１４に示すように、各収穫装置４３の連結部５１ａを、縦断面形状がコ字状の溝形であるように形成して、連結部５１ａの支持フレーム４７に対する取り付けを操作簡単にできるように構成してある。
【００６７】
すなわち、連結部５１ａを開口から支持フレーム４７に対して支持フレーム４７の軸芯に直交する方向に嵌め込み操作することにより、連結部５１ａが支持フレーム４７に外嵌し、支持フレーム４７に外嵌した連結部５１ａは、支持フレーム４７の矩形と連結部５１ａのコの字状とによって支持フレーム４７に対して回転不能に係合した状態になる。支持フレーム４７に外嵌した連結部５１ａと支持フレーム４７とに挿通する外れ止めボルト４７ｂを装着することにより、連結部５１ａの外れ止めができる。
【００６８】
一対の連結部材３４，３４は、横送りガイド４６ｃの下方を前後方向に通るように配備してある。一対の連結部材３４，３４は、連結部材３４どうしの間隔Ｄ１、左側の連結部材３４と左側の横縦壁板４６ｂの間隔Ｄ２、及び右側の連結部材３４と右側の横縦壁板４６ｂの間隔Ｄ２が等しい又はほぼ等しい間隔になる状態で並ぶよう配置してある。一対の連結部材３４，３４は、左側の連結部材３４が左側の連結フレーム３７ａに対して機体前後方向に一直線状に並び、右側の連結部材３４が右側に連結フレーム３７ａに対して機体前後方向に一直線状に並ぶように配置してある。一対の連結部材３４，３４の延出端側は、連動軸５７ｂの下方に位置するよう配置してある。一対の連結部材３４，３４は、縦板形の本体と、本体を構成する板金の下端部を折り曲げて本体の下部に設けた補強フランジとを備えて構成してある。
【００６９】
一対の連結部材３４，３４の後端側は、横向きフレーム３８に連結する他、連結フレーム３７ａに連結している。一対の連結部材３４，３４の延出端側は、支持フレーム４７のうちの収穫装置４３の連結部５１ａが取り付けられる箇所どうしの間の部位に連結されている。一対の連結部材３４，３４の延出端側は、支持フレーム４７の後向き側面及び下向き側面に連結している。一対の連結部材３４，３４の後端側は、横送りガイド４６ｃの裏面に当接して横送りガイド４６ｃを下方から受け止め支持する支持部材の機能を備えている。
【００７０】
図２０,２１に示すように、横向きフレーム３８に、両横端側に分散配置した左右一対のシリンダ支持部２００，２００を備えてある。左右一対のシリンダ支持部２００，２００は、連結フレーム３７ａの前端部及び連結部材３４の後端部の横側に配置して横向きフレーム３８に連結した板状体によって構成してある。
【００７１】
図２１，２２，２３に示すように、左右一対のシリンダ支持部２００，２００は、前処理フレーム３５を昇降操作する左右一対の油圧シリンダ８，８の収穫前処理装置側の端部を各別に連結ピン２０１を介して回動自在に支持するように構成してある。左右一対のシリンダ支持部２００，２００は、油圧シリンダ８に対してシリンダ支持部２００とは反対側に位置する連結ピン２０１の端部を連結フレーム３７ａの前端部及び連結部材３４の後端部によって支持させる両持ち支持で連結ピン２０１を支持するように構成してある。これにより、左右一対のシリンダ支持部２００，２００は、油圧シリンダ８の軸芯が走行機体平面視で連結部材３４に沿う取り付け姿勢で油圧シリンダ８を支持する。連結ピン２０１は、シリンダ支持部２００の外面側に装着された回り止め体２０２によって回り止めされている。左右一対の油圧シリンダ８，８の走行機体側の端部は、図７に示す如く前輪支持フレーム１４に設けたシリンダ支持部１４ａに支持されるよう構成してある。
【００７２】
図２０，２１に示すように、左右一対の連結部材３４，３４の後端部にピン孔２０３を有したスタンド支持部２０４を設けてある。図２１，２２，２３に示すように、左右一対の連結部材３４，３４のスタンド支持部２０４は、接地スタンド１０５の基端側を連結ピン２０５を介して枢支することにより、接地スタンド１０５を上昇格納姿勢と下降使用姿勢とに昇降切り換え自在に支持するよう構成してある。各スタンド支持部２０４は、接地スタンド１０５に対してスタンド支持部２０４とは反対側に位置する連結ピン２０５の端部をシリンダ支持部２００を構成する板状体によって支持させる両持ち支持で連結ピン２０５を支持するように構成してある。
【００７３】
図２４に示すように、左右一対の接地スタンド１０５，１０５を下降使用姿勢に切り換えると、収穫前処理装置Ｂは、左右一対の接地スタンド１０５，１０５及び接地ソリ９によって脱着姿勢で接地支持される。すなわち、走行機体から取り外した収穫前処理装置Ｂを、連結フレーム３７ａの後部に設けてある支点軸４１が走行機体の支持部４０と同じ配置高さに位置する接地姿勢にできる。
【００７４】
接地スタンド１０５は、スタンド支持部２０４に枢支された基部側スタンド部１０５ａと、基部側スタンド部１０５ａに伸縮自在に支持され、脱着自在なロックピン１０７によって調節位置に固定されるように構成した接地側スタンド部１０５ｂとを備えて構成してある。
【００７５】
接地スタンド１０５は、下降使用姿勢に切り換えた場合、伸長状態に調節するとともにロックピン１０７によって固定するように構成し、上昇格納姿勢に切り換え場合、短縮状態に調節して連結部材３４の横側にコンパクトに格納するように構成してある。
【００７６】
図１８に示すように、接地ソリ９の支持脚１１０は、収穫物係止搬送装置４５の搬送装置フレーム５１に支持されたフレーム側脚体１１０ａと、フレーム側脚体１１０ａに調節長孔１１１の作用によって摺動調節自在に支持され、ロックねじ１１２によって調節位置に固定されるように構成したソリ側脚体１１０ｂとを備えて構成してある。つまり、ソリ側脚体１１０ｂのフレーム側脚体１１０ａに対する摺動調節によって支持脚１１０の長さ調節を行なうことにより、接地ソリ９の取付け高さが変化し、接地ソリ９による収穫前処理装置Ｂの前端側の支持高さを変更できるように構成してある。フレーム側脚体１１０ａは、固定側支持部材８２を介して搬送装置フレーム５１に支持されている。
【００７７】
図１０，１７に示すように、無端回動体５５の戻り経路５９が対向し合う状態で隣り合う一対の収穫物係止搬送装置４５，４５の搬送始端側に張力付与装置８８を設けてある。この張力付与装置８８は、一対の収穫物係止搬送装置４５，４５の無端回動体５５を駆動が適切となる張力を備える張り状態に張り操作するものである。
【００７８】
図１７,１８に示すように、張力付与装置８８は、一対の収穫物係止搬送装置４５，４５の一方における無端回動体５５の搬送始端側が巻回する始端側回転輪体５２と、他方における無端回動体５５の搬送始端側が巻回する始端側回転輪体５２と、一対の始端側回転輪体５２，５２を共に支持する可動側支持部材８４と、可動側支持部材８４をこれの後方で支持する固定側支持部材８２と、固定側支持部材８２と可動側支持部材８４とにわたって設けた張力付与手段８５とを備えて構成してある。
【００７９】
固定側支持部材８２は、一対の収穫物係止搬送装置４５，４５における搬送装置フレーム５１のフレーム本体５１ｂにわたって連結してある。固定側支持部材８２は、一対の収穫物係止搬送装置４５，４５のフレーム本体５１ｂに連結ボルトによって固定されている。
【００８０】
可動側支持部材８４は、固定側支持部材８２に一対のガイド手段８３Ａ，８３Ｂを介して支持されており、一対のガイド手段８３Ａ，８３Ｂによる案内を受けて固定側支持部材８２に対して機体前後方向に移動する。
【００８１】
従って、張力付与装置８８は、可動側支持部材８４を一対のガイド手段８３Ａ，８３Ｂによる案内を受けさせて、張力付与手段８５によって機体前方側に移動操作し、これにより、一対の始端側回転輪体５２，５２を一体に張力付与方向に移動操作して、一方の収穫物係止搬送装置４５における無端回動体５５に始端側回転輪体５２によって張力付与し、他方の収穫物係止搬送装置４５における無端回動体５５に始端側回転輪体５２によって張力付与する。
【００８２】
一対のガイド手段８３Ａ，８３Ｂは、一対の始端側回転輪体５２，５２が並ぶ方向と同じ機体横方向に並べてあり、一対の始端側回転輪体５２，５２の移動量が相違するガタツキを可動側支持部材８４に発生させないように可動側支持部材８４を移動案内する。
【００８３】
一対のガイド手段８３Ａ，８３Ｂにおけるガイドレール８３ａは、固定側支持部材８２に固定し、ガイド部材８３ｂ，８３ｃは、可動側支持部材８４に固定してある。ガイド部材８３ｂ,８３ｃは、可動側支持部材８４の下面側に設けた前後一対の縦板部８４ａ，８４ａにわたって連結してある。一対のガイド手段８３Ａ，８３Ｂのうちの一方のガイド手段８３Ａは、外周形状が円形のガイドレール８３ａと、このガイドレール８３ａに円形の内周形状によって摺動自在に外嵌するガイド部材８３ｂとを備えて構成してある。一対のガイド手段８３Ａ，８３Ｂのうちの他方のガイド手段８３Ｂは、外周形状が円形のガイドレール８３ａと、このガイドレール８３ａに矩形の内周形状によって摺動自在に外嵌するガイド部材８３ｃとを備えて構成してある。内周形状が矩形のガイド部材８３ｃは、可動側支持部材８４の下面側に固設した平板と、可動側支持部材８４の下面側に固設した横断面形状がコ字形の板金部材とによって構成してある。ガイド手段８３Ｂにおけるガイドレール８３ａとガイド部材８３ｃの円形外周と矩形内周とによる係合により、一対のガイド手段８３Ａ，８３Ｂにおけるガイドレール８３ａとガイド部材８３ｂ，８３ｃとの間のこじれが発生せず、一対のガイド手段８３Ａ，８３Ｂは、可動側支持部材８４の移動案内をスムーズに行う。
【００８４】
張力付与手段８５は、一対のガイド手段８３Ａ，８３Ｂの間で可動側支持部材８４に操作力を付与して、ガイド手段８３Ａ，８３Ｂのこじれ発生を防止しながら可動側支持部材８４を移動操作するように、一対のガイド手段８３Ａ，８３Ｂの間に配置してある。
【００８５】
張力付与手段８５は、可動側支持部材８４の下面側に前端部が固定された機体前後向きの操作ロッド８６と、操作ロッド８６の後端側に外嵌されたスプリング８７とを備えて構成してある。
【００８６】
操作ロッド８６の前端部は、可動側支持部材８４の後側の縦板部８４ａに一対のロックナット８６ａ，８６ａによって固定され、操作ロッド８６の後端側は、固定側支持部材８２に設けた前後一対の縦板部８２ａ，８２ａに摺動自在に支持されている。スプリング８７は、操作ロッド８６に設けた筒形のバネ受け体８６ｂと固定側支持部材８２の後側の縦板部８２ａとの間に位置し、縦板部８２ａを反力部材にしてバネ受け体８６ｂに押圧作用して、操作ロッド８６を機体前方側に摺動付勢する。
【００８７】
従って、張力付与手段８５は、スプリング８７によって操作ロッド８６を介して可動側支持部材８４を移動付勢することにより、一対の始端側回転輪体５２，５２を一体に張力付与側に移動付勢する。すなわち、張力付与手段８５は、スプリング８７によって一対の始端側回転輪体５２，５２を張力付与側に移動付勢することにより、一対の無端回動体５５，５５を延び発生にかかわらず適切な張り状態になるよう自動的に張り調節する。
【００８８】
図１７に示すように、可動側支持部材８４の平面視での形状を、隣り合う一対の収穫物係止搬送装置４５，４５の一方における搬送始端側回転輪体５２を支持する側の横側縁８４ｂが一方の収穫物係止搬送装置４５の無端回動体５５の搬送経路５８に沿い、隣り合う一対の収穫物係止搬送装置４５，４５の他方における搬送始端側回転輪体５２を支持する側の横側縁８４ｃが他方の収穫物係止搬送装置４５の無端回動体５５の搬送経路５８に沿う形状に形成してある。
【００８９】
すなわち、可動側支持部材８４は、隣り合う一対の収穫物係止搬送装置４５，４５の一方の無端回動体５５の搬送経路５８と他方の無端回動体５５の搬送経路５８との間を始端側回転輪体５２の下側で覆い、始端側回転輪体５２に下方からとうもろこし植物体の葉などが入り込むことを防止するカバー機能を備えている。
【００９０】
収穫装置４３を構成する一対の収穫物係止搬送装置４５,４５及び一対の収穫ロール６３，６３は、駆動ケース５７及び連結部５１ａによって連結されたユニット構造になっている。張力付与装置８８を構成する固定側支持部材８２は、隣り合う一対の収穫装置４３，４３の搬送装置フレーム５１，５１にわたって連結されて、隣り合う一対の収穫装置４３，４３の一方の搬送装置フレーム５１と他方の搬送装置フレーム５１との機体横方向間隔を設定するスペーサ機能を備えている。
【００９１】
すなわち、隣り合う一対の収穫装置４３，４３の機体横方向間隔が異なる状態で複数の収穫装置４３を備える別仕様の収穫前処理装置Ｂを構成する場合、固定側支持部材８２として長さ異なるものを採用し、かつ隣り合う一対の駆動ケース５７，５７を連動させる連動軸５７ｂとして長さが異なるものを採用することにより、ユニット構造の収穫装置４３を所定の機体横方向間隔で並べて連結して、収穫装置４３の機体横方向間隔が異なる別仕様の収穫前処理装置Ｂを構成することができる。
【００９２】
図３に示すように、収穫物係止搬送装置４５の上方を覆う４つの搬送装置カバー６０，６１のうちの両外端の搬送装置カバー６０は、６つの収穫物係止搬送装置４５のうちの両外端の一つの収穫物係止搬送装置４５だけに対応する小横幅を備えて構成してある。４つの搬送装置カバー６０，６１のうちの内側の２つの搬送装置カバー６１は、収穫装置４３を構成する一対の収穫物係止搬送装置４５，４５に対応する大横幅を備えて構成してあり、一対の収穫物係止搬送装置４５，４５に共通のカバーになっている。
【００９３】
図２５に示すように、内側の搬送装置カバー６１は、搬送装置カバー６１の後端部内と搬送装置フレーム５１側とにわたって設けた後連結手段９０、及び搬送装置カバー６１の前部内と搬送装置フレーム５１側とにわたって設けた左右一対の前連結手段９５，９５によって搬送装置フレーム５１に脱着及び揺動開閉自在に支持されている。
【００９４】
図２７，２８に示すように、後連結手段９０は、搬送装置カバー６１の内面側に連結板部９１ａで固定されたカバー側係合体９１と、隣り合う一対の駆動ケース５７，５７に取付け板９２ａで固定された門形のフレーム側支持体９２とを備えて構成してある。
【００９５】
カバー側係合体９１は、連結板部９１ａの両端部から各別に延出する左右一対の係合体本体９１ｂ，９１ｂを備えて構成してある。各係合体本体９１ｂには、前後側にフック部９３ａ，９３ｂが形成された凹入部９３を設け、凹入部９３でフレーム側支持体９２の横向き杆部９２ｂに対して摺動及び回動自在に係合するよう構成してある。
【００９６】
図２９，３０に示すように、左右一対の前連結手段９５，９５は、搬送装置カバー６１の内部に設けた横桟部材９９に固定された係止ピン９６と、搬送装置フレーム５１のフレーム本体５１ｂに設けた機体上下向きの支持筒部９７とを備えて構成してある。支持筒部９７は、搬送装置カバー６１の昇降操作によって係止ピン９６の先端部９６ａが係脱するピン孔９７ａを備えている。係止ピン９６は、先端部９６ａの先細り形状によるガイド機能によってピン孔９７ａにスムーズに係入する。係止ピン９６の先端部９６ａがピン孔９７ａに係入した場合、支持筒部９７から下方に突出した先端部９６ａの突出部位に脱着自在な抜け止めピン９８を装着して、係止ピン９６の支持筒部９７からの抜け止めを行なうよう構成してある。
【００９７】
図２６は、搬送装置カバー６１の開き状態を示す側面図である。図２７（ｂ）は、搬送装置カバー６１の開き状態での後連結手段９０を示す側面図である。これらの図に示すように、搬送装置カバー６１の前端側を上昇操作すると、左右一対の係合体本体９１ｂ，９１ｂが凹入部９３で横向き杆部９２ｂに対して回動しながら摺動し、搬送装置カバー６１は、横向き杆部９２ｂによって支持されるカバー側係合体９１の部位を揺動支点にして上昇揺動して開く。搬送装置カバー６１が開き状態になると、左右一対の係合体本体９１ｂが前側のフック部９３ａで横向き杆部９２ｂに係合して、搬送装置カバー６１の外れ止めが行われる。
【００９８】
図２５は、搬送装置カバー６１の閉じ状態を示す側面図である。図２７（ａ）は、搬送装置カバー６１の閉じ状態での後連結手段９０を示す側面図である。これらの図に示すように、搬送装置カバー６１の前端側を下降操作すると、左右一対の係合体本体９１ｂ，９１ｂが凹入部９３で横向き杆部９２ｂに対して回動しながら摺動し、搬送装置カバー６１は、横向き杆部９２ｂによって支持されるカバー側係合体９１の部位を揺動支点にして下降揺動して閉じる。搬送装置カバー６１が閉じ状態になると、左右一対のカバー側係合体９１，９１が後側のフック部９３ｂで横向き杆部９２ｂに係合して、搬送装置カバー６１の外れ止めが行われる。
【００９９】
閉じ状態の搬送装置カバー６１の前端側を上昇操作して左右一対の前連結手段９５における係止ピン９６が支持筒部９７から抜け外れると、搬送装置カバー６１を機体後方向きに移動操作することにより、フレーム側支持体９２の横向き杆部９２ｂが左右一対の係合体本体９１ｂ，９１ｂから外れ、後連結手段９０による搬送装置カバー６１の前処理フレーム側に対する連結が解除される。
【０１００】
搬送装置カバー６１を開いた場合、搬送装置カバー６１の内部に装備してある左右一対のスタンドロッド１００，１００を使用することにより、搬送装置カバー６１を開き状態に保持できるように構成してある。
【０１０１】
左右一対のスタンドロッド１００，１００は、横桟部材９９に上昇格納姿勢と下降使用姿勢とに揺動切り換え自在に枢支されている。図２６に示すように、左右一対のスタンドロッド１００，１００を下降使用姿勢に切り換えた場合、搬送装置フレーム５１のフレーム本体５１ｂの折り曲げ部によってフレーム本体５１ｂの上面に形成された段部にスタンドロッド１００の先端部を係止させることにより、左右一対のスタンドロッド１００，１００は、搬送装置カバー６１を開き状態に突っ張り支持する。
【０１０２】
左右一対のスタンドロッド１００，１００は、左右一対のスタンドロッド１００，１００の基部にわたって連結された連動杆１０１によって一体に昇降するように連動されている。左右一対のスタンドロッド１００，１００は、一方のスタンドロッド１００の基部に装着された格納スプリング１０２によって上昇格納姿勢に揺動付勢されている。
【０１０３】
外側の搬送装置カバー６０にあっては、内側の搬送装置カバー６１に備えた前連結手段９５、後連結手段９０及びスタンドロッド１００と同じ構成を有した前連結手段、後連結手段及びスタンドロッドを備えており、内側の搬送装置カバー６１と同様に揺動開閉できるとともに上昇開き姿勢に保持でき、さらに脱着できるようになっている。外側の搬送装置カバー６０の前連結手段、後連結手段及びスタンドロッドの説明は省略する。
【０１０４】
フィーダ６について説明する。
図１，２，３，４に示すように、フィーダ６は、機体後方側（搬送方向下手側）ほど機体上方側に位置する後上がり傾斜の姿勢で配備してある。フィーダ６は、走行機体の横方向での中央部に配備してある。フィーダ６は、運転キャビン３の下方の左右一対の前側の支柱フレーム材１２ａ，１２ａの間であって、走行ミッション１５の上方の左右一対の前車輪１，１の間を機体前後方向に通るよう配備してある。フィーダ６の前端部は、前輪支持フレーム１４から延出するステー７３に支持され、フィーダ６の中間部は、後側の支柱フレーム材１２ｂから延出するステー７４に支持されている。フィーダ６の後端部は、エンジン４の後方に配置して機体フレーム５に立設された左右一対の支柱７５，７５に支持されている。
【０１０５】
図３は、フィーダ６を示す横断平面図である。この図及び図３２，３３に示すように、機体前後方向に長いフィーダケース７０と、このフィーダケース７０の内部に駆動回動自在に設けたフィーダコンベヤ７２とを備えて構成してある。
【０１０６】
フィーダケース７０は、底板７０ａと左右一対の横側板７０ｂ，７０ｂと天板７０ｃとを備えて、縦断面形状が矩形の筒状に構成してある。フィーダケース７０の前端部（搬送始端部）の上面側に投入口７１（図１４参照）を設けてある。投入口７１は、フィーダケース７０から上方向きに突設した縦板７１ａにより、前処理フレーム３５における供給口４６ｄに向かって開口するよう形成してある。フィーダケース７０の内部に、搬送案内板７０ｄを底板７０ａ及び天板７０ｃと平行またはほぼ平行に設けてある。
【０１０７】
フィーダコンベヤ７２は、フィーダケース７０の搬送始端部内に回転支軸７６を介して回転自在に支持される左右一対の始端側輪体７６ａ，７６ａ及びフィーダケース７０の搬送終端部内に入力軸７７を介して回転自在に支持される左右一対の終端側輪体７７ａ，７７ａに巻回された左右一対の無端回動体７８と、無端回動体７８の長手方向での複数箇所で左右一対の無端回動体７８，７８に装着された搬送板７８ａとを備えて構成してある。
【０１０８】
入力軸７７は、フィーダケース７０の両横外側に振り分け配置した左右一対の張力調整体７９，７９を介してフィーダケース７０の横側板７０ｂに支持されている。すなわち、左右一対の張力調整体７９は、張力調整体７９とフィーダケース７０に固定の支持体７０ｅとにわたって装着した調節ネジ７９ａが回転操作されることにより、張力調整体７９に設けた取付けボルト孔の長孔形状の作用によって摺動調節されて入力軸７７を無端回動体７８の長手方向に移動調節し、無端回動体７８の張力調節を行なう。
【０１０９】
フィーダコンベヤ７２は、入力軸７７によって回転駆動される左右一対の終端側輪体７７ａ，７７ａによって回転駆動され、収穫前処理装置Ｂから投入口７１に供給されてフィーダケース７０の搬送始端部内に入ったとうもろこしを、フィーダコンベヤ７２によってフィーダケース７０の内部を搬送案内板７０ｄの上面側に沿わせて搬送し、フィーダケース７０の後端部（搬送終端部）に設けてある収穫物放出口７０ｆから後方向きに放出する。
【０１１０】
図３３に示すように、フィーダ６の搬送終端部の下方に排塵ファン装置１２０を配備してある。排塵ファン装置１２０は、ファンケース１２１と、ファンケース１２１の内部に回転支軸１２２を介して回転自在に設けた回転ファン１２３とを備えて構成してある。
【０１１１】
排塵ファン装置１２０は、ファンケース１２１の両横外側に位置する取付け板１２４を介して左右一対の支柱７５，７５及びフィーダケース７０に支持されている。回転支軸１２２は、走行機体横向きの姿勢で回転自在に支持されている。
【０１１２】
排塵ファン装置１２０は、回転支軸１２２によって回転ファン１２３が回転駆動されることにより、ファンケース外の空気をファンケース１２１の横側壁に設けてある吸気口からファンケース内に吸引して排塵風を発生させ、発生した排塵風をファンケース１２１の送風口１２１ａからフィーダ６の収穫物放出口７０ｆに後方上方向きに供給し、収穫物放出口７０ｆから放出されたとうもろこしに混在する葉屑などの塵埃を排塵風によって後方向きに飛ばして除去する。
【０１１３】
図３２，３３に示すように、フィーダ６の後部に処理装置１３０を連結してある。
図３４は、処理装置１３０を示す縦断側面図である。この図及び図３２，３３に示すように、処理装置１３０は、フィーダケース７０の後端部位であって、収穫物放出口７０ｆを形成している部位７０ｒに前端部が連結した処理ケース１３１と、処理ケース１３１の内部のフィーダ６の収穫物放出口７０ｆより後方に位置する箇所に設けた一対の掻込み回転体１３２，１３２と、一対の掻込み回転体１３２，１３２の後方に配備した細断処理部１３５とを備えて構成してある。処理ケース１３１は、フィーダ６の後端６ｂ（フィーダケース７０の後端）が処理ケース１３１の内部に入り込む状態でフィーダケース７０に連結している。
【０１１４】
従って、処理装置１３０は、フィーダ６によってとうもろこしに混入して搬送された稈身を主として細断処理して後方に放出する。
すなわち、フィーダコンベヤ７２によって搬送されたとうもろこしは、収穫物放出口７０ｆから放出されるのに対し、収穫前処理装置Ｂのとうもろこし収穫の際の稈切れなどによってとうもろこしに混入して搬送された稈身は、搬送板７８ａによる押し出しを受けて収穫物放出口７０ｆから後方に突出する。一対の掻込み回転体１３２，１３２は、処理ケース１３１の横外側に配置して一対の掻込み回転体１３２，１３２の回転支軸１３３の端部に装着してあるギヤ連動機構１４０（図３１参照）による作用によって逆回転方向に回転駆動される。従って、収穫物放出口７０ｆから後方に突き出た稈身を、一対の掻込み回転体１３２，１３２によって受け取って後方に送り出して細断処理部１３５に供給する。
【０１１５】
細断処理部１３５は、掻込み回転体１３２によって供給された稈身を、処理ケース１３１の内部で回転駆動される回転刃１３６と、回転刃１３６の回転域の外側近くに配置して処理ケース１３１の内部に固定された固定刃１３７とによって細断し、細断稈身を、回転刃１３６の回転による放出作用により、回転刃１３６の回転域の外周囲に配備してある放出ガイド体１３８に沿わせて排出口１３１ａに移送して排出口１３１ａから後方上方向きに放出する。排出口１３１ａから飛散した細断稈身は、排出口１３１ａの上方に位置する傾斜ガイド板１３９による案内を受けて後方下方向きに出る。
【０１１６】
図３４に示すように、一対の掻込み回転体１３２，１３２は、回転支軸１３３の両端部に振り分けて一体回転自在に設けた一対の回転板１３２ａと、回転板１３２ａの周方向に所定間隔を隔てて並ぶ状態で一対の回転板１３２ａ，１３２ａにわたって取り付けた複数本の掻込みバー１３２ｂとを備えて構成してある。一対の掻込み回転体１３２，１３２は、一方の掻込み回転体１３２の掻込みバー１３２ｂと他方の掻込み回転体１３２の掻込みバー間とが掻込み回転体１３２どうしの間で対向し合う位相関係を保ちながら回転する。
【０１１７】
図３，３１に示すように、ギヤ連動機構１４０は、一対の掻込み回転体１３２，１３２の回転支軸１３３の補助作業者搭乗デッキ２３が位置する側とは反対側の端部に装着してある。ギヤ連動機構１４０は、一方の掻込み回転体１３２の回転支軸１３３に一体回転自在に設けたギヤ１４１と、このギヤ１４１に咬み合う状態で他方の掻込み回転体１３２の回転支軸１３３に一体回転自在に設けたギヤ１４２とを備えて構成してある。
【０１１８】
図３４に示すように、放出ガイド体１３８は、放出ガイド体１３８の回転刃回転方向上手側に位置する部分を構成する上手側ガイド部１３８ａと、放出ガイド体１３８の回転刃回転方向下手側に位置する部分を構成する下手側ガイド部１３８ｂとを備えて構成してある。
【０１１９】
上手側ガイド部１３８ａは、処理ケース１３１に固定してある。下手側ガイド部１３８ｂを処理ケース１３１に位置決めするための締め付けねじ１３８ｃを、処理ケース１３１に設けた複数のねじ孔１３８ｄから選択したねじ孔１３８ｄに付け替えることにより、下手側ガイド部１３８ｂの取付け位置を回転刃回転方向に変更できるように構成してある。すなわち、下手側ガイド部１３８ｂの位置変更により、排出口１３１ａの大きさ及び細断稈身の排出方向を変更できるよう構成してある。
【０１２０】
処理ケース１３１の天板部に、内部の点検や清掃のための作業開口を蓋体１３１ｂによって開閉自在に設けてある。蓋体１３１ｂは、処理ケース１３１に対する脱着によって開閉するよう構成してある。
【０１２１】
図３,３１に示すように、処理装置１３０における処理ケース１３１の横幅Ｗ１をフィーダケース７０のフィーダコンベヤ７２を収容するコンベヤ収容部７０ｇでの横幅Ｗ２より小に設定してある。つまり、ギヤ連動機構１４０がフィーダケース７０のコンベヤ収容部７０ｇでの横端７０Ｔ１に対して処理装置１３０の横幅方向での内側に引退して位置するように、かつ処理ケース１３１の補助作業者搭乗デッキ２３が位置する側での横端１３１Ｔがフィーダケース７０のコンベヤ収容部７０ｇでの補助作業者搭乗デッキ２３が位置する側での横端７０Ｔ２に対して処理装置１３０の横幅方向での内側に引退して位置するように構成してある。
ギヤ連動機構１４０が全幅にわたってコンベヤ収容部７０ｇの横端７０Ｔ１に対して処理装置１３０の内側に引退するよう構成してある。これに替え、ギヤ連動機構１４０の横幅方向での一部だけがコンベヤ収容部７０ｇの横端７０Ｔ１に対して処理装置１３０の内側に引退するよう構成してもよい。
【０１２２】
残稈処理装置Ｃについて説明する。
図１,２に示すように、残稈処理装置Ｃは、走行機体の前車輪１と後車輪２の間の部位であって、後フレーム部１１ｂの下方の部位に配備してある。
【０１２３】
図３５は、残稈処理装置Ｃを示す側面図である。この図に示すように、残稈処理装置Ｃは、機体フレーム５に左右一対の揺動支持体１４４，１４４を介して支持される処理ケース１４５と、処理ケース１４５の内部に回転駆動自在に設けた回転チョッパー１４６と、回転チョッパー１４６の後方に回転自在に設けた鎮圧ローラ１４７とを備えて構成してある。処理ケース１４５は、処理装置機体の機能を備えている。
【０１２４】
左右一対の揺動支持体１４４は、機体フレーム側から後述する機体横向きのカウンタ軸１６２の軸芯まわりに上下揺動自在に延出され、延出端部で残稈処理装置Ｃの全体を支持するよう処理ケース１４５に連結されている。左右一対の揺動支持体１４４，１４４は、上下一対の揺動支持アーム１４４ａ，１４４ｂを備えて構成してある。
【０１２５】
残稈処理装置Ｃは、左右一対の揺動支持体１４４，１４４がリフトシリンダ１４８ａを備えた操作機構１４８によって揺動昇降操作されることにより、鎮圧ローラ１４７が接地し、回転チョッパー１４６が地面に接近した下降作業位置と、鎮圧ローラ１４７及び回転チョッパー１４６が地面から高く上昇した上昇作業位置とに昇降操作される。
【０１２６】
図３５に示すように、操作機構１４８は、リフトシリンダ１４８ａを備える他、後フレーム部１１ｂに設けた支持部１１ｅに機体横向きの回転支軸１４８ｂを介して上下揺動自在に支持される左右一対のリフトアーム１４８ｃ，１４８ｃと、左右一対のリフトアーム１４８ｃ，１４８ｃを処理ケース１４５の両横端側に各別に連結する一対の吊下げチェーン１４８ｄ，１４８ｄとを備えて構成してある。リフトシリンダ１４８ａは、油圧シリンダによって構成してある。リフトシリンダ１４８ａの一端側は、回転支軸１４８ｂから一体回転自在に延出している操作アーム１４８ｅに連結されている。
【０１２７】
従って、操作機構１４８は、リフトシリンダ１４８ａによって操作アーム１４８ｅを揺動操作して回転支軸１４８ｂを回転操作することにより、左右一対のリフトアーム１４８ｃ，１４８ｃを揺動操作して処理ケース１４５を吊り上げ及び吊り下げ操作することにより、左右一対の揺動支持体１４４，１４４を揺動昇降操作する。
【０１２８】
伝動ギヤケース１８０は、原動部フレーム１３から延出するステー１８４に固定されている。残稈処理装置Ｃが昇降操作される際、入力軸１７８が残稈処理装置Ｃの昇降軸芯であるカウンタ軸１６２の軸芯に対して偏倚している出力軸１８０ｂの軸芯まわりに揺動昇降するが、出力軸１８０ｂの揺動昇降によって伝動ベルト１８３がテンションアーム１８５を枢支軸１８５ａのまわりにテンションばね１８６に抗して揺動させて伝動ベルト１８３の張力が変化する。従って、残稈伝動機構１７７は、残稈処理装置Ｃのカウンタ軸１６２の軸芯周りの揺動昇降を可能にする。
【０１２９】
回収タンク７について説明する。
図１，２に示すように、回収タンク７は、前端側がフィーダ６の後端部の下側に位置する状態でフィーダ６の後方に配備してある。
【０１３０】
回収タンク７は、機体フレーム５の後端部に立設された支柱１５０にダンプ軸芯Ｚまわりに揺動自在に支持され、回収タンク７の横側部に設けたシリンダブラケット１５１と機体フレーム５に設けたブラケット１５２とにわたって取り付けてあるダンプシリンダ１５３により、回収姿勢と排出姿勢とに揺動操作される。回収タンク７は、回収姿勢にされると、収穫物受入れシュート７ａを備えた開口７ｂがフィーダ６の収穫物放出口７０ｆの下方に機体上方向きに位置した姿勢になる。回収タンク７は、排出姿勢にされると、開口７ｂが支柱１５０の後方に機体下方向きに位置した姿勢になる。
【０１３１】
支柱１５０及びダンプシリンダ１５３は、回収タンク７の両横側に配備してある。支柱１５０は、支柱１５０の上端部とブラケット１５２とにわたって取り付けた傾斜姿勢の補助支柱１５４によって補強されている。
【０１３２】
伝動系について説明する。
図３６は、伝動系統図である。この図に示すように、エンジン４の出力軸４ａの駆動力を走行伝動機構１６０によって走行ミッション１５の入力軸１６に伝達するように構成してある。走行伝動機構１６０は、エンジン４の出力軸４ａと走行ミッション１５の入力軸１６とにわたって巻回された複数本の伝動ベルト１６０ａを備えて構成してある。走行ミッション１５の入力軸１６は、ミッションケースから横向きに突出している。
【０１３３】
エンジン４の出力軸４ａの駆動力をカウンタ伝動機構１６１によってカウンタ軸１６２に伝達し、カウンタ軸１６２の駆動力を、カウンタ軸１６２の一端部に連結された収穫伝動機構１６３によって収穫前処理装置Ｂの入力軸１６４の一端部に伝達するように構成し、カウンタ軸１６２に駆動力を、カウンタ軸１６２の一端部に連結された後部用伝動機構１７３によって排塵ファン装置１２０、フィーダ６及び処理装置１３０に伝達し、カウンタ軸１６２の駆動力を、カウンタ軸１６２の他端部に連結された残稈伝動機構１７７によって残稈処理装置Ｃの回転チョッパー１４６の回転支軸で成る入力軸１７８に伝達するように構成してある。
【０１３４】
図１，２に示すように、カウンタ軸１６２は、エンジン４の下方に機体横向きに配備してある。図３５に示すように、カウンタ軸１６２は、後フレーム部１１ｂの下方における連結フレーム部１１ｃの後側に配備してある。カウンタ伝動機構１６１は、カウンタ軸１６２の機体横方向中央部に連結してある。カウンタ伝動機構１６１は、エンジン４の出力軸４ａとカウンタ軸１６２とに巻回した複数本の伝動ベルト１６１ａを備えて構成してある。
【０１３５】
図２に示すように、カウンタ軸１６２を、収穫前処理装置Ｂの入力軸１６４に対して機体後方側に位置し、かつフィーダ６の入力軸７７に対して機体前方側に位置するように配備し、カウンタ軸１６２と入力軸１６４と入力軸７７との位置関係が、機体上下方向視でカウンタ軸１６２が入力軸１６４と入力軸７７との間に入る位置関係になるよう構成してある。従って、カウンタ軸１６２をフィーダ６の入力軸７７より後方に配備した場合に比べ、カウンタ軸１６２からフィーダ６への伝動距離を同じにしながら、収穫伝動機構１６３の伝動距離を短くできる。
【０１３６】
図１，２に示すように、カウンタ軸１６２を、残稈処理装置Ｃと同様に前車輪１と後車輪２の間に配置し、カウンタ軸１６２と残稈処理装置Ｃとの間隔が小になって、残稈伝動機構１７７の伝動距離が短くなるよう構成してある。
【０１３７】
収穫伝動機構１６３は、カウンタ軸１６２のエンジン４が位置する側とは反対の機体横端側に位置する端部に連結され、フィーダ６に対してエンジン４が位置する側とは反対側に配備されている。
【０１３８】
図１２，３６に示すように、収穫伝動機構１６３は、カウンタ軸１６２と支点軸４１の端部に回転自在に支持される中間伝動体１６８とに巻回された伝動チェーン１６９を備えた伝動上手側の伝動機構１６３ａと、入力軸１６４に相対回転自在に設けた連動部材としてのチェーンスプロケット１７１及びこのチェーンスプロケット１７１と中間伝動体１６８に巻回された伝動チェーン１７０を備えた伝動下手側の伝動機構１６３ｂと、チェーンスプロケット１７１と入力軸１６４とにわたって設けたトルクリミッタ１７２とを備えて構成してある。図２に示すように、中間伝動体１６８は、カウンタ軸１６２に対して機体前方側に位置するように、かつ収穫前処理装置Ｂの入力軸１６４に対して機体後方側に位置するように、さらにカウンタ軸１６２より高い配置高さに位置するよう配備してある。
【０１３９】
収穫前処理装置Ｂの入力軸１６４は、収穫部３６の入力軸と成っている。図１２に示すように、この入力軸１６４は、トルクリミッタ１７２が位置する側とは反対側の端部に連結された横送り伝動機構１６５によって横送りオーガ４４の回転支軸４４ａに連動されている。入力軸１６４は、トルクリミッタ１７２が位置する側とは反対側の端部に連結された搬送伝動機構１６６によって各収穫物係止搬送装置４５及び各収穫ロール６３の駆動機構５０に連動されている。
【０１４０】
図１２，２４，３６に示すように、横送り伝動機構１６５は、入力軸１６４と横送りオーガ４４の回転支軸４４ａとに巻回された伝動チェーン１６５ａを備えて構成してある。
【０１４１】
搬送伝動機構１６６は、入力軸１６４と駆動ケース５７に対する伝動軸１６７とに巻回された伝動チェーン１６６ａを備えて構成してある。図１２に示すように、伝動軸１６７は、３つの駆動ケース５７のうちの横端の駆動ケース５７の入力軸５７ａに一体回転自在に連結されている。隣り合う一対の駆動ケース５７の入力軸５７ａどうしが連動軸５７ｂによって連結されている。従って、入力軸１６４の駆動力が搬送伝動機構１６６によって各収穫物係止搬送装置４５及び各収穫ロール６３の駆動機構５０に伝達される。
【０１４２】
図３１，３２，３６に示すように、後部用伝動機構１７３は、カウンタ軸１６２と排塵ファン装置１２０における回転ファン１２３の回転支軸１２２とに巻回された伝動チェーン１７４を備えたファン伝動機構１７３ａ、及び回転ファン１２３の回転支軸１２２、フィーダ６の入力軸７７及び処理装置１３０の入力軸１３３に巻回された伝動チェーン１７５を備えたフィーダ６及び処理装置１３０用の伝動機構１７３ｂを備えて構成してある。
【０１４３】
従って、排塵ファン装置１２０の回転ファン１２３には、後部用伝動機構１７３の上手側部分を構成するファン伝動機構１７３ａによってカウンタ軸１６２の駆動力が伝達される。
【０１４４】
図２に示すように、機体側面視において、カウンタ軸１６２の軸芯とフィーダ６の入力軸７７の軸芯とを結ぶ直線Ｌに近接する箇所に回転ファン１２３の回転支軸１２２が位置するように、カウンタ軸１６２、入力軸７７及び回転支軸１２２を配備してある。入力軸７７と回転支軸１２２とカウンタ軸１６２との位置関係が一直線状に近い状態で並ぶ位置関係になるよう構成してある。従って、ファン伝動機構１７３ａの伝動距離及び回転ファン１２３の回転支軸１２２からフィーダ６の入力軸７７への伝動距離を短くして、後部用伝動機構１７３を伝動距離が短いコンパクトなものにできる。直線Ｌに近接する箇所に回転ファン１２３の回転支軸１２２が位置するように構成するに替え、直線Ｌの上に回転ファン１２３の回転支軸１２２が位置するよう構成してもよい。
【０１４５】
ファン伝動機構１７３ａは、収穫伝動機構１６３と同様に、カウンタ軸１６２のエンジン４が位置する側とは反対の機体横端側に位置する端部に連結され、フィーダ６に対してエンジン４が位置する側とは反対側に配備されている。フィーダ及び処理装置用の伝動機構１７３ｂは、フィーダ６の入力軸７７の補助作業者搭乗デッキ２３が位置する側とは反対側の端部に連結され、フィーダ６に対して補助作業者搭乗デッキ２３が位置する側とは反対側に配備されている。
【０１４６】
図３２，３６に示すように、フィーダ及び処理装置用の伝動機構１７３ｂを構成する伝動チェーン１７５は、掻込み回転体１３２の回転支軸１３３で成る処理装置１３０の入力軸１３３に巻回されている。処理装置１３０の入力軸１３３と回転刃１３６の回転支軸１３６ａに伝動チェーン１７６が巻回されている。
【０１４７】
従って、フィーダ及び処理装置用の伝動機構１７３ｂが、回転ファン１２３の回転支軸１２２の駆動力をフィーダ６の入力軸７７及び処理装置１３０の入力軸１３３に伝達する。回転刃１３６には、入力軸１３３の駆動力が伝動チェーン１７６によって伝達される。
【０１４８】
残稈伝動機構１７７は、カウンタ伝動機構１６１に対して収穫伝動機構１６３及びフィーダ伝動機構１７３が位置する側とは反対側に位置するカウンタ軸１６２の部位に連結されている。さらに詳述すると、残稈伝動機構１７７は、収穫伝動機構１６３及びファン伝動機構１７３ａが位置する側とは反対側のカウンタ軸１６２の端部に連結されている。
【０１４９】
図３５，３６に示すように、残稈伝動機構１７７は、カウンタ軸１６２の駆動力を、残稈伝動機構１７７の入力軸１８０ａとしての伝動ギヤケース１８０の入力軸１８０ａに入力し、この入力軸１８０ａの駆動力を伝動ベルト１８３を介して残稈処理装置Ｃの入力軸１７８に伝達するよう構成してある。
【０１５０】
図３７に示すように、伝動ギヤケース１８０の入力軸１８０ａは、連結手段１８１を介してカウンタ軸１６２に連結するよう構成してある。連結手段１８１は、カウンタ軸１６２及び入力軸１８０ａに対してスプライン構造によって係合及び離脱する筒体によって構成してある。従って、連結手段１８１は、入力軸１８０ａ側にスライド操作してカウンタ軸１６２と入力軸１８０ａとにわたって外嵌した状態にすることにより、入力軸１８０ａをカウンタ軸１６２に対する一体回転自在な連結状態に切り換える。連結手段１８１は、カウンタ軸１６２側にスライド操作して入力軸１８０ａから外れた状態にすることにより、入力軸１８０ａをカウンタ軸１６２に対する分離状態に切り換える。入力軸１８０ａをカウンタ軸１６２に対する連結状態に切り換えた連結手段１８１は、連結手段１８１に脱着自在な位置決めピン１８２を装着することにより、伝動ギヤケース１８０の端面に対する連結手段１８１の端面の当たり、及びカウンタ軸１６２の端面に対する位置決めピン１８２の当りによって所定の取付け位置に位置決めされ、入力軸１８０ａのカウンタ軸１６２に対する連結状態を維持する。
【０１５１】
つまり、残稈処理装置Ｃを走行機体から取り外す場合、残稈伝動機構１７７の入力軸１８０ａをカウンタ軸１６２から切り離すことにより、残稈伝動機構１７７を全体にわたって走行機体から取り外すことができる。
【０１５２】
伝動ギヤケース１８０は、入力軸１８０ａに一体回転自在に設けた入力側ギヤ１８０ｃ、及び入力側ギヤ１８０ｃに咬み合う状態で出力軸１８０ｂに一体回転自在に設けた出力側ギヤ１８０ｄを備えている。従って、伝動ギヤケース１８０は、入力軸１８０ａによってカウンタ軸１６２から入力した駆動力を回転方向が逆回転方向の駆動力に変換して出力軸１８０ｂから残稈処理装置Ｃに伝達する。
【０１５３】
エンジン４の出力軸４ａをエンジン４から機体横内側向きに突設し、走行伝動機構１６０及びカウンタ伝動機構１６１を、フィーダ６の下方に位置するよう配備してある。
【０１５４】
収穫伝動機構１６３、及びファン及びフィーダ用伝動機構１７３のうちのファン伝動機構１７３ａは、フィーダ６に対してエンジン４が位置する側とは反対側の走行機体横側方に位置するよう配備してある。ファン及びフィーダ用伝動機構１７３のうちのフィーダ６及び処理装置１３０に伝動するフィーダ伝動機構１７３ｂは、フィーダ６に対して補助作業者搭乗デッキ２３が位置する側とは反対側に位置するよう配備してある。
【０１５５】
図１２に示すように、収穫前処理装置Ｂの入力軸１６４としての収穫部３６の入力軸１６４は、収穫部フレーム４２の背後に機体横向きに配置してある。さらに詳述すると、入力軸１６４は、上横向きフレーム３９の後方に上横向きフレーム３４に沿わせて配備してある。入力軸１６４は、連結フレーム３７ａに回転自在に支持させてある。さらに詳述すると、入力軸１６４は、連結フレーム３７ａを機体横方向に貫通する状態で連結フレーム３７ａに支持させてある。収穫伝動機構１６３を構成する伝動下手側の伝動機構１６３ｂを、連結フレーム３７ａから横外側に突出している収穫部フレーム４２の横側部４２ａの後方に配置し、入力軸１６４のうちの連結フレーム３７ａの横外側に突出している端部１６４ａに伝動下手側の伝動機構１６３ｂを連動させて、トルクリミッタ１７２を収穫部フレーム４２の横側部４２ａの背後に位置する箇所であって、収穫部フレーム４２の横側部４２ａと、送出部フレーム３７ａとしての連結フレーム３７ａとによって囲まれる箇所に位置させてある。
【０１５６】
図１２，３８に示すように、トルクリミッタ１７２は、チェーンスプロケット１７１の輪体部１７１ｂに対して連結フレーム３７ａが位置する側に配置してある。トルクリミッタ１７２は、チェーンスプロケット１７１のボス部１７１ａと入力軸１６４の端部１６４ａにわたって設けたクラッチ１９０と、チェーンスプロケット１７１に対して連結フレーム３７ａが位置する側とは反対側の箇所で入力軸１６４に外嵌するトルク設定スプリング１９１と、入力軸１６４の端部に螺着したトルク調節ネジ１９２とを備えて構成してある。
【０１５７】
クラッチ１９０は、チェーンスプロケット１７１のボス部１７１ａに一体回転自在に設けた伝動側クラッチ体１９０ａと、入力軸１６４に一体回転自在に設けた受動側クラッチ体１９０ｂとを備えて構成してある。クラッチ１９０は、チェーンスプロケット１７１の入力軸１６４に対する摺動によって、伝動側クラッチ体１９０ａに設けてあるクラッチ爪と受動側クラッチ体１９０ｂに設けてあるクラッチ爪とが係脱するように咬み合いクラッチに構成してある。
【０１５８】
つまり、トルクリミッタ１７２は、収穫部３６の駆動に必要な伝動トルクがトルク設定スプリング１９１による設定トルク以下である場合、クラッチ１９０がトルク設定スプリング１９１による入り付勢によって入り状態に維持され、伝動機構１６３ｂによる入力軸１６４への伝動を許容する。トルクリミッタ１７２は、収穫部３６の駆動に必要な伝動トルクがトルク設定スプリング１９１による設定トルクを超えた場合、クラッチ１９０が駆動負荷のためにトルク設定スプリング１９１による入り付勢に抗して切り状態に自ずと切り換わり、伝動機構１６３ｂから入力軸１６４への伝動を絶つ。
【０１５９】
トルクリミッタ１７２は、トルク調節ネジ１９２の回転操作によってバネ受け体１９３の取り付け位置を変更調節されることにより、クラッチ１９０が切り状態に切り換わるときの駆動負荷が増減するように、トルク設定スプリング１９１によって設定される設定トルクを変更する。
【０１６０】
トルクリミッタ１７２を構成するクラッチ１９０は、チェーンスプロケット１７１を構成する輪体部１７１ｂに対して連結フレーム３７ａが位置する側に配備し、輪体部１７１ｂがクラッチ１９０に対する茎稈の入り込みを防止するガード機能を備えるよう構成してある。
【０１６１】
〔別実施例〕
（１）上記した実施例では、フィーダ６からの稈身を細断処理部１３５によって細断処理するよう処理装置１３０を構成した例を示したが、細断処理部１３５を備えず、フィーダ６からの稈身を掻込み回転体１３２によってとうもろこしと分離させて放出するよう処理装置を構成して実施してもよい。
【０１６２】
（２）上記した実施例では、処理ケース１３１の補助作業者搭乗デッキ２３が位置する側での横端１３１Ｔがフィーダケース７０のコンベヤ収容部７０ｇでの補助作業者搭乗デッキ２３が位置する側での横端７０Ｔ２に対して処理装置１３０の横幅方向での内側に引退して位置するように構成した例を示したが、処理ケース１３１の横端１３１Ｔとフィーダケース７０のコンベヤ収容部７０ｇの横端７０Ｔ２とが一直線上に位置するよう構成して実施してもよい。
【０１６３】
（３）上記した実施例では、フィーダ及び処理装置１３０に伝動するフィーダ伝動機構１７３ｂがフィーダ６に対して補助作業者搭乗デッキ２３が位置する側とは反対側に配置した例を示したが、フィーダ６に対して補助作業者搭乗デッキ２３が位置する側に配置して実施してもよい。
【０１６４】
（４）上記した実施例では、残稈処理装置Ｃを備えた例を示したが、植立状態の茎稈を株元で切断する切断装置を収穫前処理装置Ｂに設けて実施してもよい。
【０１６５】
（５）上記した実施例では、６つの収穫物係止搬送装置４５を設け、機体横方向での３箇所で収穫するよう３つの収穫装置４３を構成した例を示したが、６つより数少ないまたは数多い収穫物係止搬送装置４５を設け、機体横方向での２箇所や４箇所以上で収穫するよう構成して実施してもよい。
【０１６６】
（６）上記した実施例では、回収タンク７を備えた例を示したが、フィーダ６からのとうもろこしを処理する脱穀装置又は皮むき装置を備えて実施してもよい。
【０１６７】
（７）上記した実施例では、前車輪１及び後車輪２を走行装置として備えた例を示したが、クローラ走行装置を走行装置として備えて構成して実施してもよい。
【産業上の利用可能性】
【０１６８】
本発明は、とうもろこしを収穫対象とする収穫前処理装置に替え、稲、麦など各種の作物部を収穫対象とする収穫前処理装置を備える収穫機にも利用可能である。
【符号の説明】
【０１６９】
６                    フィーダ
２３                  補助作業者搭乗デッキ
７０                  フィーダケース
７０Ｔ１，７０Ｔ２    フィーダケースの横端
７０ｆ                収穫物放出口
７０ｇ                コンベヤ収容部
１３０                処理装置
１３１                処理ケース
１３１Ｔ              処理ケースの横端
１３２                掻込み回転体
１３３                回転支軸
１３５                細断処理部
１４０                ギヤ連動機構
１７３ｂ              伝動機構
Ｂ                    収穫前処理装置
Ｗ１                  処理ケースの横幅
Ｗ２                  フィーダケースの横幅
【図１】
2013126387.tif 000003
【図２】
2013126387.tif 000004
【図３】
2013126387.tif 000005
【図４】
2013126387.tif 000006
【図５】
2013126387.tif 000007
【図６】
2013126387.tif 000008
【図７】
2013126387.tif 000009
【図８】
2013126387.tif 000010
【図９】
2013126387.tif 000011
【図１０】
2013126387.tif 000012
【図１１】
2013126387.tif 000013
【図１２】
2013126387.tif 000014
【図１３】
2013126387.tif 000015
【図１４】
2013126387.tif 000016
【図１５】
2013126387.tif 000017
【図１６】
2013126387.tif 000018
【図１７】
2013126387.tif 000019
【図１８】
2013126387.tif 000020
【図１９】
2013126387.tif 000021
【図２０】
2013126387.tif 000022
【図２１】
2013126387.tif 000023
【図２２】
2013126387.tif 000024
【図２３】
2013126387.tif 000025
【図２４】
2013126387.tif 000026
【図２５】
2013126387.tif 000027
【図２６】
2013126387.tif 000028
【図２７】
2013126387.tif 000029
【図２８】
2013126387.tif 000030
【図２９】
2013126387.tif 000031
【図３０】
2013126387.tif 000032
【図３１】
2013126387.tif 000033
【図３２】
2013126387.tif 000034
【図３３】
2013126387.tif 000035
【図３４】
2013126387.tif 000036
【図３５】
2013126387.tif 000037
【図３６】
2013126387.tif 000038
【図３７】
2013126387.tif 000039
【図３８】
2013126387.tif 000040